(57)【要約】  １つの操作片を操作するだけで係止爪とベルトとの係合を解除することができると共に、ベルトアジャスターを大型化を防ぐことができるベルトアジャスターを提供する。  ベルト（１１）と、表面板（２１）、裏面板（２２）、上面板（２３）、及び下面板（２４）を有し、ベルト（１１）を挿通するベルト挿通部（２５）が左右方向に沿って形成されるアジャスター本体（２０）と、ベルト挿通部（２５）にスライド可能に配置される操作片（４０）と、を備え、表面板（２１）は、片持ち梁状の係止片（２８）を有し、係止片（２８）は、先端部にベルト（１１）の係止部（１２）と係合可能な係止爪（２９）と、操作片（４０）に向かって突設される第１カム（３０）と、を有し、操作片（４０）は、係止片（２８）に向かって突設され、第１カム（３０）と当接する第２カム（４３）を有する。
2014038068.tif 000002
【特許請求の範囲】
【請求項１】
表面に多数の係止部（１２）が形成されるベルト（１１）と、  表裏方向に離間して並行に配置される表面板（２１）及び裏面板（２２）と、前記表面板（２１）及び前記裏面板（２２）の上端部を連結する上面板（２３）と、前記表面板（２１）及び前記裏面板（２２）の下端部を連結する下面板（２４）と、を有し、前記表面板（２１）、前記裏面板（２２）、前記上面板（２３）、及び上記下面板（２４）により前記ベルト（１１）を挿通するベルト挿通部（２５）が左右方向に沿って形成されるアジャスター本体（２０）と、  前記ベルト挿通部（２５）にスライド可能に配置される操作片（４０）と、を備え、  前記表面板（２１）は、スリット（２７）を形成し、左右方向のいずれか一方の端部が前記表面板（２１）に連結される片持ち梁状の係止片（２８）を有し、  前記係止片（２８）は、先端部に前記ベルト（１１）の前記係止部（１２）と係合可能な係止爪（２９）を有するベルトアジャスター（１０）であって、  前記係止片（２８）は、前記操作片（４０）に向かって突設される第１カム（３０）を有し、  前記操作片（４０）は、前記係止片（２８）に向かって突設され、前記第１カム（３０）と当接する第２カム（４３）を有することを特徴とするベルトアジャスター（１０）。
【請求項２】
前記操作片（４０）を上下方向のいずれか一方に付勢するバネ（５０，７０）を備え、  前記操作片（４０）は、前記バネ（５０，７０）を保持するバネ嵌合凹部（４６）を有することを特徴とする請求項１に記載のベルトアジャスター（１０）。
【請求項３】
前記バネ嵌合凹部（４６）は、前記バネ（５０，７０）の一方の脚部（５２，７２）及び他方の脚部（５３，７３）をそれぞれ係止させる一対のバネ係止凸部（４８ａ，４８ｂ）を有することを特徴とする請求項２に記載のベルトアジャスター（１０）。
【請求項４】
前記バネ（５０）は、ねじりコイルバネであることを特徴とする請求項２又は３に記載のベルトアジャスター（１０）。
【請求項５】
前記操作片（４０）を上下方向のいずれか一方に付勢するバネ（７０）を備えることを特徴とする請求項１に記載のベルトアジャスター（１０）。
【請求項６】
前記操作片（４０）は、前記上面板（２３）及び前記下面板（２４）の操作片挿入孔（２６）に挿入されており、  前記操作片（４０）は、前記操作片挿入孔（２６）に挿入する際に左右方向に弾性変形して幅を縮め、挿入後に左右方向に開いて広幅となり、前記上面板（２３）の下面（２３ａ）に当接する左右一対の抜け止め部（４５）を有することを特徴とする請求項１〜５のいずれか１項に記載のベルトアジャスター（１０）。
【請求項７】
前記操作片（４０）は、前記操作片（４０）を上下方向のいずれか一方に付勢するバネ部（６０）を一体的に有することを特徴とする請求項１又は６に記載のベルトアジャスター（１０）。
【発明の詳細な説明】
【技術分野】
【０００１】  本発明は、ベルトの長さを調節するベルトアジャスターに関する。
【背景技術】
【０００２】  従来のベルトアジャスターとしては、対向した底壁部と前壁部及び対向した両側壁部によってベルト挿通部を形成し、前壁部に、スリットによって弾性変形可能に係止片を設け、係止片の先端に、ベルトを一方に戻り不可能に係止する係止爪を突設し、係止片の両側部にテーパー部を設け、両側壁部に、係止片の両側部のテーパー部に当接して、係止片の先端を外側に変形させる操作部をそれぞれ設けるものが知られている（例えば、特許文献１参照）。【０００３】  従来の他のベルトアジャスターとしては、表面に等間隔で調節突部が突設されるベルトと、左右方向に貫通するベルト挿通部を有し、上面に操作片挿入孔が形成されるアジャスター本体と、操作片挿入孔に上下方向にスライド可能に挿入され、一方面に調節突部と係合する係合突部が突設される操作片と、アジャスター本体と操作片との間に設けられ、操作片を上方に付勢するスプリングと、を備えるものが知られている（例えば、特許文献２参照）。
【先行技術文献】
【特許文献】
【０００４】
【特許文献１】日本国実公平０２−０２７７６３号公報
【特許文献２】日本国特開平１０−１７９２１５号公報
【発明の概要】
【発明が解決しようとする課題】
【０００５】  ところで、上記特許文献１に記載のバックルでは、２つの操作部を同時に押圧しないと、係止爪とベルトとの係合を解除することができなかった。また、上記特許文献２に記載のバックルでは、１つの操作片を操作するだけで係止爪とベルトとの係合を解除することができるものの、ベルトに調節突部が２列で形成されるため、ベルトの幅方向寸法が大きく、ベルトアジャスターが大型化してしまっていた。【０００６】  本発明は、前述した事情に鑑みてなされたものであり、その目的は、１つの操作片を操作するだけで係止爪とベルトとの係合を解除することができると共に、ベルトアジャスターを大型化を防ぐことができるベルトアジャスターを提供することにある。
【課題を解決するための手段】
【０００７】  本発明の上記目的は、下記の構成により達成される。（１）表面に多数の係止部が形成されるベルトと、表裏方向に離間して並行に配置される表面板及び裏面板と、表面板及び裏面板の上端部を連結する上面板と、表面板及び裏面板の下端部を連結する下面板と、を有し、表面板、裏面板、上面板、及び下面板によりベルトを挿通するベルト挿通部が左右方向に沿って形成されるアジャスター本体と、ベルト挿通部にスライド可能に配置される操作片と、を備え、表面板は、スリットを形成し、左右方向のいずれか一方の端部が表面板に連結される片持ち梁状の係止片を有し、係止片は、先端部にベルトの係止部と係合可能な係止爪を有するベルトアジャスターであって、係止片は、操作片に向かって突設される第１カムを有し、操作片は、係止片に向かって突設され、第１カムと当接する第２カムを有することを特徴とするベルトアジャスター。（２）操作片を上下方向のいずれか一方に付勢するバネを備え、操作片は、バネを保持するバネ嵌合凹部を有することを特徴とする（１）に記載のベルトアジャスター。（３）バネ嵌合凹部は、バネの一方の脚部及び他方の脚部をそれぞれ係止させる一対のバネ係止凸部を有することを特徴とする（２）に記載のベルトアジャスター。（４）バネは、ねじりコイルバネであることを特徴とする（２）又は（３）に記載のベルトアジャスター。（５）操作片を上下方向のいずれか一方に付勢するバネを備えることを特徴とする（１）に記載のベルトアジャスター。（６）操作片は、上面板及び下面板の操作片挿入孔に挿入されており、操作片は、操作片挿入孔に挿入する際に左右方向に弾性変形して幅を縮め、挿入後に左右方向に開いて広幅となり、上面板の下面に当接する左右一対の抜け止め部を有することを特徴とする（１）〜（５）のいずれか１つに記載のベルトアジャスター。（７）操作片は、操作片を上下方向のいずれか一方に付勢するバネ部を一体的に有することを特徴とする請求項（１）又は（６）に記載のベルトアジャスター。
【発明の効果】
【０００８】  本発明のベルトアジャスターによれば、係止片が、操作片に向かって突設される第１カムを有し、操作片が、係止片に向かって突設され、第１カムと当接する第２カムを有するため、１つの操作片を操作するだけで係止爪とベルトとの係合を解除することができる。また、従来のようにベルトの幅方向寸法が大きくならないので、ベルトアジャスターの大型化を防ぐことができる。
【図面の簡単な説明】
【０００９】
【図１】本発明に係るベルトアジャスターの一実施形態を説明する表面図である。
【図２】図１に示すＡ−Ａ線断面図である。
【図３】図１に示すＢ−Ｂ線断面図である。
【図４】図２に示すＣ−Ｃ線断面図である。
【図５】図１から表面板及びベルトを削除した状態を示す斜視図である。
【図６】図１から表面板を削除した状態を示す平面図である。
【図７】図６のコイルバネの周辺の拡大図である。
【図８】図７のコイルバネの周辺の右側面図である。
【図９】操作片の押圧により係止片が押し上げられた状態を示す図２に対応する断面図である。
【図１０】係止片が押し上げられ、係止片の係止爪とベルトの係止凹部との係合が解除された状態を示す図４に対応する断面図である。
【図１１】本発明に係るベルトアジャスターの一実施形態の第１変形例を説明する図６に対応する平面図である。
【図１２】本発明に係るベルトアジャスターの一実施形態の第２変形例を説明する図６に対応する平面図である。
【発明を実施するための形態】
【００１０】  以下、本発明に係るベルトアジャスターの一実施形態について、図面に基づいて詳細に説明する。なお、以後の説明において、上側とは図１の紙面に対して上側、下側とは図１の紙面に対して下側、右側とは図１の紙面に対して右側、左側とは図１の紙面に対して左側、表面側とは図１の紙面に対して手前側、裏面側とは図１の紙面に対して奥側とする。
【００１１】  本実施形態のベルトアジャスター１０は、図１〜図４に示すように、ベルト１１、アジャスター本体２０、操作片４０、及び操作片４０を上方に付勢するコイルバネ（バネ）５０を備え、アジャスター本体２０に左右方向に挿通されるベルト１１の長さを調整可能となっている。アジャスター本体２０及び操作片４０は、合成樹脂の射出成形により形成されている。
【００１２】  ベルト１１は、弾性変形可能な合成樹脂、皮革、合成ゴムなどにより細幅の薄板状に成形されており、その表面には、ベルト１１の幅方向に沿って延びる矩形状の係止凹部（係止部）１２が多数形成されている。
【００１３】  アジャスター本体２０は、表裏方向に離間して並行に配置される表面板２１及び裏面板２２と、表面板２１及び裏面板２２の上端部を連結する上面板２３と、表面板２１及び裏面板２２の下端部を連結する下面板２４と、を有する。
【００１４】  また、アジャスター本体２０には、表面板２１、裏面板２２、上面板２３、及び下面板２４によって画成されたベルト挿通部２５が左右方向に沿って形成され、このベルト挿通部２５にベルト１１が挿通される。
【００１５】  また、図２に示すように、上面板２３及び下面板２４には、操作片４０が摺動可能に挿入される操作片挿入孔２６が上下方向に貫通してそれぞれ形成されている。そして、操作片４０の摺動は、上下の操作片挿入孔２６によりガイドされる。また、ベルト挿通部２５は、操作片挿入孔２６よりも裏面板２２側に形成されている。このため、ベルト挿通部２５の左右方向に延びる空間と、上下の操作片挿入孔２６同士を繋ぐ空間とは、アジャスター本体２０内で表裏方向に離間して交差連通している。従って、操作片４０は、ベルト挿通部２５にスライド可能に配置されているとも言える。
【００１６】  また、図１に示すように、表面板２１には、コの字型のスリット２７を形成し、右側端部が表面板２１に連結される片持ち梁状の係止片２８が形成されている。また、図４に示すように、係止片２８の先端部には、裏面板２２側に向かって延びる係止爪２９が形成されており、この係止爪２９は、ベルト１１のいずれかの係止凹部１２と係合する。なお、上記したコの字型のスリット２７とは、図１において、係止片２８の上辺、下辺、及び左辺が表面板２１と繋がっていないということであり、即ち、スリット２７は、表面板２１を板厚方向に貫通するスリット孔である。
【００１７】  また、図２に示すように、係止片２８の裏面の上下方向略中央部には、操作片４０に向かって突出する第１カム３０が形成されている。この第１カム３０は、下方に向かうに従って次第に突出量が大きくなる傾斜面３０ａを有する。
【００１８】  操作片４０は、図５及び図６に示すように、上面板２３及び下面板２４の操作片挿入孔２６に案内されて摺動可能に挿入される板状部４１と、板状部４１の上部に設けられ、上面板２３の操作片挿入孔２６から上方に突出する押圧操作部４２と、を有する。
【００１９】  また、図２に示すように、板状部４１の表面には、係止片２８に向かって突出し、第１カム３０と当接する第２カム４３が形成されている。この第２カム４３は、操作片４０が下方に押圧操作されることにより、第１カム３０を押圧して係止片２８を表面側に押し上げる。
【００２０】  また、図５及び図６に示すように、操作片４０の左右両側面には、左右斜め上方に向けて略逆ハの字型に突出する左右一対の抜け止め部４５が形成されている。この左右一対の抜け止め部４５は、左右方向に弾性変形可能である。
【００２１】  そして、左右一対の抜け止め部４５は、操作片４０が操作片挿入孔２６に挿入される際、左右方向に弾性変形して幅を縮めて操作片挿入孔２６を通過して、アジャスター本体２０に組み付けられる。そして、操作片挿入孔２６を通過した後は、弾性力により左右方向に開いて広幅となり、上面板２３の下面２３ａにそれぞれ当接する。これにより、アジャスター本体２０から操作片４０が抜け出ることが防止される。
【００２２】  また、図５〜図８に示すように、操作片４０には、コイルバネ５０を収容して保持するバネ嵌合凹部４６が形成されている。このバネ嵌合凹部４６は、図７において右方向に開口する略Ｕ字型に形成されている。
【００２３】  また、バネ嵌合凹部４６のＵ字型円弧部４６ａの中心には、円柱状のバネ嵌合凸部４７が形成されている。また、バネ嵌合凹部４６の上下の開口端には、一対のバネ係止凸部４８ａ，４８ｂがバネ嵌合凹部４６内に向かって突出するようにそれぞれ形成されている。
【００２４】  コイルバネ５０は、弾性を有する金属線材からなるねじりコイルバネであり、図７及び図８に示すように、コイル部５１と、コイル部５１から延びる一対の脚部５２，５３と、を有する。そして、コイルバネ５０は、コイル部５１がバネ嵌合凸部４７に嵌合してバネ嵌合凹部４６内に収容されている。これにより、操作片４０の厚みを最小限に抑えることができるので、ベルトアジャスター１０を薄型にすることができる。
【００２５】  また、上方の脚部５２は、バネ嵌合凹部４６の上面に当接し、上方のバネ係止凸部４８ａによってバネ嵌合凹部４６からの脱落が阻止されている。下方の脚部５３は、下方のバネ係止凸部４８ｂによってバネ嵌合凹部４６からの脱落が阻止されている。さらに、下方の脚部５３は、アジャスター本体２０の下面板２４の上面に形成されるバネ係止溝３１に係止されている。このため、操作片４０は、コイルバネ５０の弾性力により上方に常時付勢されている。
【００２６】  このように構成されたベルトアジャスター１０では、図２及び図４に示すように、通常時、操作片４０は、コイルバネ５０の付勢力により上方に位置している。このとき、操作片４０の第２カム４３が係止片２８の第１カム３０を押圧していないので、係止片２８の係止爪２９がベルト１１の係止凹部１２に係合して、ベルト１１の左右方向の移動が規制される。
【００２７】  また、ベルト１１の長さを調整する場合、図９及び図１０に示すように、コイルバネ５０の付勢力に抗して操作片４０を押し下げること（矢印Ｄ参照）により、操作片４０の第２カム４３が係止片２８の第１カム３０を押圧して、係止片２８が表面側に押し上げられる（矢印Ｅ参照）。これにより、係止片２８の係止爪２９とベルト１１の係止凹部１２との係合が解除されて、ベルト１１の左右方向の移動が可能となる。
【００２８】  また、このとき、係止片２８の上下方向中央部に第１カム３０が配置されるため、係止片２８の上下方向中央部に押し上げ力が作用して、係止片２８が捩じれることなくバランス良く押し上げられる。このため、最小限の押し上げ量で、係止片２８の係止爪２９とベルト１１の係止凹部１２との係合を解除することが可能である。
【００２９】  また、ベルト長さ調整後は、操作片４０の押し下げを解放することにより、コイルバネ５０の付勢力により操作片４０が上方に移動すると共に、係止片２８が元の位置に復帰する。これにより、係止片２８の係止爪２９がベルト１１の係止凹部１２に係合して、ベルト１１の左右方向の移動が規制される。このように、ベルト１１の長さは、操作片４０を操作することにより容易に調整することができる。また、ベルト１１をアジャスター本体２０から外す場合は、操作片４０を押し下げたままにして、ベルト１１をアジャスター本体２０から抜き取ればよい。
【００３０】  以上説明したように、本実施形態のベルトアジャスター１０によれば、係止片２８が、操作片４０に向かって突設される第１カム３０を有し、操作片４０が、係止片２８に向かって突設され、第１カム３０と当接する第２カム４３を有するため、１つの操作片４０を操作するだけで係止片２８の係止爪２９とベルト１１の係止凹部との係合を解除することができる。また、従来のようにベルトの幅方向寸法が大きくならないので、ベルトアジャスター１０の大型化を防ぐことができる。
【００３１】  また、本実施形態のベルトアジャスター１０によれば、操作片４０は、コイルバネ５０を保持するバネ嵌合凹部４６を有し、バネ嵌合凹部４６は、コイルバネ５０の脚部５２，５３をそれぞれ係止させる一対のバネ係止凸部４８ａ，４８ｂを有するため、ベルトアジャスター１０の組み立て時において、コイルバネ５０が操作片４０から脱落することが防止されて、ベルトアジャスター１０の組み立て性を向上することができる。また、コイルバネ５０がバネ嵌合凹部４６内に収容されるため、操作片４０の厚みを最小限に抑えることができ、ベルトアジャスター１０を薄型にすることができる。
【００３２】  また、本実施形態のベルトアジャスター１０によれば、操作片４０は、操作片挿入孔２６に挿入する際に弾性変形して幅を縮め、挿入後に左右方向に開いて広幅となり、上面板２３の下面２３ａに当接する左右一対の抜け止め部４５を有するため、ベルトアジャスター１０の組み立て時において、操作片４０を操作片挿入孔２６に挿入するだけで、操作片４０をアジャスター本体２０に組み付けることができる。従って、ベルトアジャスター１０の組み立て性を向上することができる。
【００３３】  また、本実施形態のベルトアジャスター１０によれば、操作片４０の摺動が上下の操作片挿入孔２６によりガイドされるため、操作片４０の操作をスムーズに行うことができ、ベルトアジャスター１０の操作性を向上することができる。
【００３４】  なお、本実施形態の第１変形例として、図１１に示すように、上記実施形態からバネ嵌合凹部４６及びコイルバネ５０を削除して、操作片４０の下端部に操作片４０を上方に付勢する細板状のバネ部６０を一体的に形成すると共に、下側の操作片挿入孔２６の下端部にバネ部６０の弾性力を受ける底板６１を形成するようにしてもよい。これにより、操作片挿入孔２６は凹状に形成される。また、バネ部６０の先端部６０ａは、円形状又は球形状に形成されている。
【００３５】  また、本実施形態の第２変形例として、図１２に示すように、ねじりコイルバネであるコイルバネ５０の代わりに通常のＵ字型やＪ字型のバネ７０を使用してもよい。このバネ７０は、湾曲部７１と、湾曲部７１から延びる一対の脚部７２，７３と、を有し、コイルバネ５０と同様に、バネ嵌合凹部４６内に収容されている。
【００３６】  なお、本発明は上記実施形態に例示したものに限定されるものではなく、本発明の要旨を逸脱しない範囲において適宜変更可能である。  例えば、上記実施形態では、アジャスター本体２０及び操作片４０は、合成樹脂製であるが、これに限定されず、金属製であってもよい。  また、上記実施形態では、ベルト１１の多数の係止凹部１２は、矩形状の凹部であるが、これに限定されず、断面鋸刃状の連続した凹凸であってもよい。  また、上記実施形態では、スリット２７は、コの字型に形成されているが、これに限定されず、Ｃの字型や半楕円型などでもよく、その形状は任意である。
【符号の説明】
【００３７】    １０    ベルトアジャスター    １１    ベルト    １２    係止凹部（係止部）    ２０    アジャスター本体    ２１    表面板    ２２    裏面板    ２３    上面板    ２３ａ  下面    ２４    下面板    ２５    ベルト挿通部    ２６    操作片挿入孔    ２７    スリット    ２８    係止片    ２９    係止爪    ３０    第１カム    ４０    操作片    ４３    第２カム    ４５    抜け止め部    ４６    バネ嵌合凹部    ４８ａ  バネ係止凸部    ４８ｂ  バネ係止凸部    ５０    コイルバネ（バネ）    ５１    コイル部    ５２    脚部    ５３    脚部    ６０    バネ部    ７０    バネ
【図１】
2014038068.tif 000003
【図２】
2014038068.tif 000004
【図３】
2014038068.tif 000005
【図４】
2014038068.tif 000006
【図５】
2014038068.tif 000007
【図６】
2014038068.tif 000008
【図７】
2014038068.tif 000009
【図８】
2014038068.tif 000010
【図９】
2014038068.tif 000011
【図１０】
2014038068.tif 000012
【図１１】
2014038068.tif 000013
【図１２】
2014038068.tif 000014
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
表面に多数の係止部（１２）が形成されるベルト（１１）と、
表裏方向に離間して並行に配置される表面板（２１）及び裏面板（２２）と、前記表面板（２１）及び前記裏面板（２２）の上端部を連結する上面板（２３）と、前記表面板（２１）及び前記裏面板（２２）の下端部を連結する下面板（２４）と、を有し、前記表面板（２１）、前記裏面板（２２）、前記上面板（２３）、及び上記下面板（２４）により前記ベルト（１１）を挿通するベルト挿通部（２５）が左右方向に沿って形成されるアジャスター本体（２０）と、
前記ベルト挿通部（２５）にスライド可能に配置される操作片（４０）と、を備え、
前記表面板（２１）は、スリット（２７）を形成し、左右方向のいずれか一方の端部が前記表面板（２１）に連結される片持ち梁状の係止片（２８）を有し、
前記係止片（２８）は、先端部に前記ベルト（１１）の前記係止部（１２）と係合可能な係止爪（２９）を有するベルトアジャスター（１０）であって、
前記係止片（２８）は、前記操作片（４０）に向かって突設される第１カム（３０）を有し、
前記操作片（４０）は、前記係止片（２８）に向かって突設され、前記第１カム（３０）と当接する第２カム（４３）を有し、
前記第１カム（３０）は、前記係止片（２８）の裏面に設けられると共に、前記操作片（４０）のスライドする方向で前記第２カム（４３）と離間するに従って次第に突出量が大きくなる傾斜面（３０ａ）を有し、
前記第２カム（４３）は、前記操作片（４０）のスライドする方向で前記係止片（２８）と重なるように配置されることを特徴とするベルトアジャスター（１０）。
【請求項２】
前記操作片（４０）を上下方向のいずれか一方に付勢するバネ（５０，７０）を備え、
前記操作片（４０）は、前記バネ（５０，７０）を保持するバネ嵌合凹部（４６）を有することを特徴とする請求項１に記載のベルトアジャスター（１０）。
【請求項３】
前記バネ嵌合凹部（４６）は、前記バネ（５０，７０）の一方の脚部（５２，７２）及び他方の脚部（５３，７３）をそれぞれ係止させる一対のバネ係止凸部（４８ａ，４８ｂ）を有することを特徴とする請求項２に記載のベルトアジャスター（１０）。
【請求項４】
前記バネ（５０）は、ねじりコイルバネであることを特徴とする請求項２又は３に記載のベルトアジャスター（１０）。
【請求項５】
前記操作片（４０）を上下方向のいずれか一方に付勢するバネ（７０）を備えることを特徴とする請求項１に記載のベルトアジャスター（１０）。
【請求項６】
前記操作片（４０）は、前記上面板（２３）及び前記下面板（２４）の操作片挿入孔（２６）に挿入されており、
前記操作片（４０）は、前記操作片挿入孔（２６）に挿入する際に左右方向に弾性変形して幅を縮め、挿入後に左右方向に開いて広幅となり、前記上面板（２３）の下面（２３ａ）に当接する左右一対の抜け止め部（４５）を有することを特徴とする請求項１〜５のいずれか１項に記載のベルトアジャスター（１０）。
【請求項７】
前記操作片（４０）は、前記操作片（４０）を上下方向のいずれか一方に付勢するバネ部（６０）を一体的に有することを特徴とする請求項１又は６に記載のベルトアジャスター（１０）。
【手続補正２】
【補正対象書類名】明細書
【補正対象項目名】０００７
【補正方法】変更
【補正の内容】
【０００７】
本発明の上記目的は、下記の構成により達成される。
（１）表面に多数の係止部が形成されるベルトと、表裏方向に離間して並行に配置される表面板及び裏面板と、表面板及び裏面板の上端部を連結する上面板と、表面板及び裏面板の下端部を連結する下面板と、を有し、表面板、裏面板、上面板、及び下面板によりベルトを挿通するベルト挿通部が左右方向に沿って形成されるアジャスター本体と、ベルト挿通部にスライド可能に配置される操作片と、を備え、表面板は、スリットを形成し、左右方向のいずれか一方の端部が表面板に連結される片持ち梁状の係止片を有し、係止片は、先端部にベルトの係止部と係合可能な係止爪を有するベルトアジャスターであって、係止片は、操作片に向かって突設される第１カムを有し、操作片は、係止片に向かって突設され、第１カムと当接する第２カムを有し、第１カムは、係止片の裏面に設けられると共に、操作片のスライドする方向で第２カムと離間するに従って次第に突出量が大きくなる傾斜面を有し、第２カムは、操作片のスライドする方向で係止片と重なるように配置されることを特徴とするベルトアジャスター。
（２）操作片を上下方向のいずれか一方に付勢するバネを備え、操作片は、バネを保持するバネ嵌合凹部を有することを特徴とする（１）に記載のベルトアジャスター。
（３）バネ嵌合凹部は、バネの一方の脚部及び他方の脚部をそれぞれ係止させる一対のバネ係止凸部を有することを特徴とする（２）に記載のベルトアジャスター。
（４）バネは、ねじりコイルバネであることを特徴とする（２）又は（３）に記載のベルトアジャスター。
（５）操作片を上下方向のいずれか一方に付勢するバネを備えることを特徴とする（１）に記載のベルトアジャスター。
（６）操作片は、上面板及び下面板の操作片挿入孔に挿入されており、操作片は、操作片挿入孔に挿入する際に左右方向に弾性変形して幅を縮め、挿入後に左右方向に開いて広幅となり、上面板の下面に当接する左右一対の抜け止め部を有することを特徴とする（１）〜（５）のいずれか１つに記載のベルトアジャスター。
（７）操作片は、操作片を上下方向のいずれか一方に付勢するバネ部を一体的に有することを特徴とする請求項（１）又は（６）に記載のベルトアジャスター。
【手続補正３】
【補正対象書類名】明細書
【補正対象項目名】０００８
【補正方法】変更
【補正の内容】
【０００８】
本発明のベルトアジャスターによれば、係止片が、操作片に向かって突設される第１カムを有し、操作片が、係止片に向かって突設され、第１カムと当接する第２カムを有するため、１つの操作片を操作するだけで係止爪とベルトとの係合を解除することができる。また、従来のようにベルトの幅方向寸法が大きくならないので、ベルトアジャスターの大型化を防ぐことができる。また、第１カムは、係止片の裏面に設けられると共に、操作片のスライドする方向で第２カムと離間するに従って次第に突出量が大きくなる傾斜面を有し、第２カムは、操作片のスライドする方向で係止片と重なるように配置されるため、係止片に押し上げ力が適切に作用して、係止片が捩じれることなくバランス良く押し上げられる。このため、最小限の押し上げ量で、係止片の係止爪とベルトとの係合を解除することができる。
【国際調査報告】
2014038068.tif 000015
2014038068.tif 000016
2014038068.tif 000017
2014038068.tif 000018